(57)【要約】【課題】レイアウト構成、文字情報及び／又は画像情報の入力、割付け作業を確実に行い、その後の校正に対応する修正作業及び検査作業を簡素化し、処理時間の短縮を可能にするコンピュータ支援製版処理方法を提供する。【解決手段】クライアントからの原稿・指示に基づき、作成ページ画面上に文字情報及び／又は画像情報の配置及びサイズを絶対座標により特定区画として割付けると共に各情報のそれぞれに対応する割付け番号を付加する座標割付け番号化処理工程と、前記割付け番号の付加された文字情報の入力を行い、フォント（字体）の種別、印字カラー、サイズ（Ｑ数）等の情報を含むファイルを各絶対座標で特定された区画ごとに作成する文字情報入力工程と、前記割付け番号の付加された画像情報を読み込むことによりそれぞれの割付け番号に対応するファイルとする画像情報入力工程とからなり、校正赤字に基づく修正が各ファイル単位で実行される、コンピュータ支援製版処理方法である。【選択図】  図１
2004272743.tif 000002
【特許請求の範囲】
【請求項１】
クライアントからの原稿・指示に基づき、作成ページ領域画面上に文字情報及び／又は画像情報の配置及びサイズを絶対座標により特定区画として割付けると共に各情報のそれぞれに対応する割付け番号を付加する座標割付け番号化処理工程と、
前記割付け番号の付加された文字情報の入力を行い、フォントの種別、カラー、サイズ等の情報を含むファイルを各絶対座標により特定された区画ごとに作成する文字情報入力工程と、
前記割付け番号の付加された画像情報を読み込むことによりそれぞれの割付け番号に対応するファイルとする画像情報入力工程と、からなり、
校正赤字に基づく修正が各ファイル単位で実行される、ことを特徴とするコンピュータ支援製版処理方法。
【請求項２】
校正された赤字に基づく修正にあたっては、各割付け番号の付された原ファイルから複写されたコピーファイルにおいて修正を実行し、検査時には原ファイルおよび修正されたコピーファイルを当該区画内に重畳表示することにより照合を容易にする、ことを特徴とする請求項１に記載のコンピュータ支援製版処理方法。
【請求項３】
前記原ファイルと前記コピーファイルとの表示色を変えることにより照合作業をさらに容易にする、ことを特徴とする請求項２に記載のコンピュータ支援製版処理方法。
【請求項４】
前記原ファイルと前記コピーファイルとの表示位置を若干変位せしめた多重表示とすることにより照合作業をさらに容易にする、ことを特徴とする請求項２または３のいずれかに記載のコンピュータ支援製版処理方法。
【請求項５】
座標割付け番号化処理工程、文字情報入力工程、画像情報入力工程および校正赤字に基づく修正工程に至る製版処理の各工程がコンピュータプログラムとして具現される、ことを特徴とする請求項１ないし４のいずれかに記載のコンピュータ支援製版処理方法。
【発明の詳細な説明】
【０００１】
【発明の属する技術分野】
本発明は、コンピュータ制御のもとにグラビア、オフセット等の各種印刷用下版を作成するコンピュータ支援製版処理方法に関する。
【０００２】
【従来の技術】
グラビア、オフセット等の各種印刷用の下版を作成するには、古くは印画紙に焼き付ける写真植字を版下台紙に貼り付ける手法が用いられていたため、予め決定されたレイアウトに合致するフォント（字体）、文字級数（Ｑ数）、総体枠サイズを精確に決定した上で写植を用意する必要があり多大の処理工数及び処理時間を要していた。その後電算写植が活用されるに至り、ページ上のレイアウトを考慮しながら文字情報を入力する手法が可能となったものの、電算写植装置は極めて高価なものであり操作者も限られていた。
【０００３】
近年、コンピュータに関するハード及びソフトの高機能化が進み、製版作業も全てコンピュータ支援のもとに実施されるようになった。小規模な製版処理の典型として、初期に開発されたポストスクリプトやフォトショップ等のコンピュータソフトをベースとして広くＤＴＰ（Ｄｅｓｋ  Ｔｏｐ  Ｐｕｂｌｉｓｈｉｎｇ）ソフトの開発も進み、個人使用から業務用まで広く活用されるに至っている。
【０００４】
個人用や趣味の世界のＤＴＰであればともかく、雑誌や書籍の出版に関する下版作成に当たっては、正確さはいうまでもなく極めて厳格な締切日設定が当たり前になっているにもかかわらず、製版、内部検査、クライアント校正、校正後修正作業、原版検査等に要する作業工数並びに時間は膨大なものとなっている。
【０００５】
殊に、製版作業者による当初の製版、作業者自身による見直し、内部検査担当者の検査、クライアント校正後の修正作業、内部検査に要する工数並びに処理時間の圧縮は、出版社その他のクライアント、作業者、検査担当者のそれぞれにおいて極めて重要なテーマとなっている。
【０００６】
【発明が解決しようとする課題】
本発明は、レイアウト構成、文字情報及び／又は画像情報の入力、割付け作業を確実に行い、その後の校正に対応する修正作業及び検査作業等の諸作業を簡素化し、かつ処理時間の短縮を可能にするコンピュータ支援製版処理方法を提供することを課題とする。
【０００７】
【課題を解決するための手段】
本発明は、クライアントからの原稿・指示に基づき、作成ページ画面上に文字情報及び／又は画像情報の配置及びサイズを絶対座標により特定区画として割付けると共に各情報のそれぞれに対応する割付け番号を付加する座標割付け番号化処理工程と、前記割付け番号の付加された文字情報の入力を行い、フォント（字体）の種別、印字カラー、サイズ（Ｑ数）等の情報を含むファイルを各絶対座標で特定された区画ごとに作成する文字情報入力工程と、前記割付け番号の付加された画像情報を読み込むことによりそれぞれの割付け番号に対応するファイルとする画像情報入力工程と、からなり、校正赤字に基づく修正が各ファイル単位で実行される、コンピュータ支援製版処理方法であることを特徴とする。
【０００８】
本発明にかかる製版処理方法において、校正された赤字に基づく修正にあたっては、各割付け番号の付された原ファイルから複写されたコピーファイルにおいて修正を実行し、検査時には原ファイルおよび修正されたコピーファイルを、対応区画上に重畳表示することにより照合を容易にする製版処理方法であることを特徴とする。
【０００９】
さらに、上述の重畳表示に当たって、原ファイルとコピーファイルとの表示色を変えること、もしくは両者の表示を若干変位せしめた多重表示とすることにより照合作業をさらに容易にする製版処理方法であることを特徴とする。
【００１０】
本発明にかかるコンピュータ支援製版処理方法によれば、文字情報及び／又は写真、イラスト等の画像情報は、１区切りごとに別ファイルのレイヤーとして取り扱い、それぞれの区画毎に絶対座標により位置決めを行い、かつ各情報がそれぞれ個別のファイルとして構成される。そのため、絶対座標で特定された区画に対してそれぞれの情報を電子化したファイルが１対１で対応するものとなり、割付け、文字情報及び／又は画像情報入力作業、修正等の諸作業が過誤なく実行できる。
【００１１】
特に、各区画毎に入力される情報が固有番号の付された独立ファイルとして構成されているため、校正に基づく赤字部分の修正時には原ファイルを残したままで、コピーファイルに対して修正を行った後、両者を当該区画内に重畳表示することにより、校正に基づく修正処理、再校用ゲラ刷り作成前の検査等が確実に行えることになり、割付け区画間のファイル入れ違い等による誤り、修正漏れ、過誤修正等が未然に防止される。
【００１２】
本発明にかかるコンピュータ支援製版処理方法は、割付け工程、絶対番地によって特定される区画割付け工程、ゲラ刷り作成工程、修正箇所表示工程、確認・検査工程等を含む。割付け工程では、提供された文字情報及び／又は写真、イラスト、フロー図等の画像情報を予め定められたページ枠内の絶対座標で特定された区画に割付けてレイアウトを決定する。
【００１３】
絶対番地によって特定される区画に対して行う割付け工程は、レイアウトの各部における文字情報及び／又は画像情報をそれぞれ独立したファイルとして構成し、各ファイルを全ページ領域内の対応する区画内に表示可能である。
【００１４】
ゲラ刷り作成工程では、前記詳細割付け工程及び各情報入力の終了したページを基にして内部検査用及び／またはクライアント校正用ゲラを作成する。修正箇所表示工程は、前記ゲラ刷りに赤字修正の記入された校正を基礎として対応する前記原ファイルを複写したコピーファイルに対して所要修正を行い、誤り部分が除去されて空白となっている原ファイルと所要修正の施されたコピーファイルとを、例えば異なる色彩で同一画面に重畳して表示する。
【００１５】
確認・検査工程は、前記重畳して表示された修正箇所表示画面を確認しつつ再修正並びに検査を実施する。最終工程では、校了の確認をまって下版作成工程に移行する。なお、ここに開示した各工程の実施にあたってはコンピュータを活用するものであるため、所要動作は全てコンピュータソフトを介して実現するものである。個々の動作をソフトウェアで表現する技術は当業者においてよく知られた手法が適用可能であるため詳述はしない。
【００１６】
ここに、「提供された文字情報及び／又は写真、イラスト等の画像情報」とは、クライアントからの原稿または文書による指示書などによって特定された文字情報、写真、絵画、イラスト、フロー図等の画像情報等を意味し、それぞれハードコピーや写真、絵画、イラスト、フロー図等の原画はもとより、既に電子化されたデータをも含む。電子化されていない情報に関しては、キーボードからの直接入力を始め、ＯＣＲやフラットベッドスキャナ、フィルムスキャナ等の適宜手段を介して読込み並びに所要形式への変換・保存等が行われる。
【００１７】
「前記割付け工程において作成されたレイアウトの各部における文字情報及び／又は画像情報」とは、前述のようにクライアントから提供または指示された文字情報及び／又は画像情報を指し、各単位毎に独立のファイルとして電子化され、それぞれに固有番号が付される。これらファイルはそれぞれ異なるレイヤーにより表示される。
【００１８】
「前記割付け工程の終了したページ」とは、前述の各情報を独立のファイルとして形成し、絶対番地で特定された割付位置及び固有番号で特定された各ファイルとを対応せしめてレイアウトの完成されたページである。
【００１９】
「前記ゲラ刷りに赤字修正の記入された校正」とは、ゲラ刷りに対して内部検査者をはじめクライアントである執筆者、編集者その他の校正者によって赤字修正が施された校正を指す。
【００２０】
「前記重畳して表示された修正箇所表示画面」とは、前述のように固有番号が付されたファイルに対してクライアントからの校正による修正指示に合わせて誤記等が削除され空白となった原（オリジナル）ファイルと、当該部分をコピーして修正が施されたコピーファイルとを、例えば色彩を変えもしくは若干変位させて重畳表示し、修正された箇所と、その他の修正不要部分とを対比表示により明瞭に示すようにした画面をいう。
【００２１】
「校了の確認」とは、クライアントによる修正指示、製版作業者の修正処理、内部検査、修正済みページのゲラ刷り作成、クライアント及び／又は内部検査者による校正終了が確認された状態をいう。
【００２２】
【発明の実施の形態】
以下、添付図を参照しつつ本発明にかかるコンピュータ支援製版処理方法の実施の形態について詳述する。図１は、ディスプレイ表示される割付け設定画面の例を示すものである。図左半部は割付け設定の対象となる１ページ分の作成ページ領域１であり、図右側は割付け方法選定領域２および割付けレイヤー表示領域３が表示されている。なお、かかる領域の配列、表示ページ数、表示サイズ、表内の表記、文字数等は単なる例示に過ぎず、本発明を特定するものでないことは理解されるべきである。
【００２３】
割付け作業の開始に当たっては、割付け方法選定領域２において、本実施例では出版社、編集者等クライアントからの指示に従い手動設定を行う「先方割付手動設定」を選択したものとする。その他、本発明にかかるレイアウト・入力方法がクライアント側の方式と対応している場合にあっては、「先方割付データ」として受入れ、自動読み込み処理によることも可能である。作成ページ領域１において▲１▼、▲２▼、・・・等は文字情報の割付け区画、ＦＧ▲１▼、ＦＧ▲２▼、・・・等は画像情報の割付け区画を示すもので、それぞれが絶対座標によって特定される。
【００２４】
このような割付け作業の状況は、割付レイヤー領域３の表において、ページ番号、レイヤー番号、各割付区画の絶対座標、各ファイルの割付番号、文字情報及び画像情報の入稿日付等の特定状態が表示される。図１の表示によれば、作成ページ領域１によって当該ページの割付状況が明確になり、それぞれの配置及びサイズに必要な区画は、割付レイヤー領域３の表からレイヤー１においてページ領域上の絶対座標（１５，５）に特定されていることが確認できる。さらに、この特定区画に割付けられるファイル１は文字情報▲１▼であることが把握できる。
【００２５】
図２は、作成対象名称特定領域５によって例示する架空の誌名「ファイト」創刊号の１２３ページを手動割付設定する画面の例を示すものであり、クライアントからの指示に従い、作成ページ領域１に文字情報▲１▼を絶対座標（１５，５）の区画に割付ける例を示すものである。
【００２６】
図３は、レイヤー２〜８についてもそれぞれの文字情報及び画像情報をそれぞれの区画に絶対座標として割付けた状態を示すものである。全ての割付けが完了したことを確認する完了確認チェック領域４にチェックマーク「レ」を入力することにより次工程に移行する。
【００２７】
図４は、レイヤー１として指定された文字情報「情報トピックス」を入力する状態を示す。割付レイヤー３で割付区画▲１▼をクリックし、図右下に開かれたネーム入力ウィンドウ６から、所望のフォント（字体）、フォントカラー、文字サイズによりこのようにして入力された文字情報が、作成ページ領域１内に絶対座標（１５，５）の特定された割付番号（区画）▲１▼にファイル名１２３Ｐ▲１▼として入力される状態を示すものである。
【００２８】
図５は、文字情報割付区画▲１▼の文字情報の入力が確定し、次いで絶対座標（１４，５０）の画像情報割付け区画ＦＧ▲１▼の入力作業に移る状態を示すものである。画像情報の入力処理は、フォト入力ウィンドウ７に対して電子化された画像データの読み込み、ハードコピーからのスキャナ読み込み等慣用の手段によって、割付け番号ＦＧ▲１▼、レイヤー２に対応するファイル名１２３ＰＦＧ▲１▼として作成される。この際、サイズ、色彩、明度等の調整も必要に応じて実施する。この画像情報ＦＧ▲１▼の入力が図６のように確定すれば、引き続き文字情報入力領域▲２▼の入力作業に移行し、以下同様に全領域に対して必要な入力・確定作業を実施する。
【００２９】
図７は、校正の赤字修正指示の書き込みが行われた校了後に行われる修正処理工程に関する画面表示例を示すもので、画面右下には校了戻ネーム修正ウィンドウ８が開かれる。ここでレイヤー３、割付け区画▲２▼をクリックすると図８のようにウィンドウのレイヤー３が網掛けとなって選択され、作成ページ領域１の割付け区画▲２▼にファイルの内容が表示される。
【００３０】
この例では、絶対座標（２００，５０）で特定された文字情報割付け区画▲２▼の４行目の用語「大表河期」中の文字「表」が誤りである。ここで、修正実行を選択すると図９（以下、ディスプレイ枠省略）のような修正部分前準備画面に切り替わり、図右側の文字情報（ネーム）修正ウィンドウ領域８で誤記された文字「表」を削除すると、その部分が空白となって画面左の拡大表示領域９に同じ内容が拡大して表示される。次いで完了確認チェック領域４にチェックを入れると、次の工程に移行する。
【００３１】
図１０は、誤記された文字「表」を削除した跡に正しい文字「氷」を入力した状態を示すもので、完了のチェックマークを入れることにより図左側の拡大表示領域９の表示も正しい表記に変化する（変化した状態の表示は省略）。
【００３２】
この状態で、修正状態前準備において誤記された文字「表」が削除され空白となっている原ファイルと、正しい文字「氷」が入力されたコピーファイルとを、図１１に示すようにわずかに変位させて重畳表示すると、誤記された文字「表」から正しい文字「氷」への修正箇所がコピーファイルのみによる一重で示され、その他無修正部分は文字ズレのある二重表示となっていることが確認できる。この添付図では白黒の単色表示であるため、文字ズレによる煩雑な表示となっているが、例えば、赤−青、赤−緑のように両ファイルの表示色を色彩によって識別容易とし、または明度等を変えることにより、修正部分と無修正部分との区別をより鮮明なものとすることができる。
【００３３】
したがって、校正に基づく修正が行われたか、修正漏れがあるか、過誤修正があるか、等の確認が極めて容易となり、内部及び／又はクライアントによる検査工程が省略可能もしくは極めて簡素に実施可能となる。
【００３４】
【発明の効果】
本発明にかかるコンピュータ支援製版処理方法によれば、各割付け区画毎のファイルがそれぞれ固有番号の付された個別のファイルとして作成されており、割付け区画のそれぞれと各ファイルとが個別に対応している。そのため、割付け完了後校了・下版作成までに行われる諸作業が簡素化され、当該工程における過誤が大幅に低減されることが期待される。
【００３５】
特に校正に基づく修正作業は、各ファイル単位で実行され、修正されたそれぞれの内容は、原ファイルと修正されたコピーファイルとを視覚的に照合しながら行えるため、誤修正、修正残し、過誤修正等が容易に目視確認可能となり、修正作業及び検査の処理時間の大幅な短縮が可能となり、出版等に要する総合経費削減にも大きな効果がある。
【図面の簡単な説明】
【図１】本発明にかかるコンピュータ支援製版処理方法による割付け処理画面表示例である。
【図２】クライアント指示に基づく割付け設定工程の具体例を示す画面表示例である。
【図３】割付け設定画面と割付けレイヤー表との対応を示す画面表示例である。
【図４】割付け設定後の文字情報（ネーム）入力工程の画面表示例である。
【図５】割付け設定後の画像（フォト）情報入力工程の画面表示例である。
【図６】画像（フォト）情報入力完了後の画面表示例である。
【図７】校正戻りに対する修正工程ウィンドウの画面表示例である。
【図８】校正戻りに対する文字情報（ネーム）修正工程ウィンドウの初期画面表示例である。
【図９】校正戻りに対する文字情報（ネーム）修正部分前準備の画面表示例である。
【図１０】校正戻りに対する文字情報（ネーム）修正部分を入力した画面表示例である。
【図１１】校正戻りに対する文字情報（ネーム）修正部分の原ファイルと修正の施されたコピーファイルとを重畳表示した画面例である。
【符号の説明】
１  作成ページ領域
２  割付方法選定領域
３  割付レイヤー領域
４  完了確認チェック領域
５  作成対象名称領域
６  文字情報（ネーム）入力ウィンドウ
７  画像（フォト）情報入力ウィンドウ
８  文字情報修正ウィンドウ
９  拡大表示領域
【図１】
2004272743.tif 000003
【図２】
2004272743.tif 000004
【図３】
2004272743.tif 000005
【図４】
2004272743.tif 000006
【図５】
2004272743.tif 000007
【図６】
2004272743.tif 000008
【図７】
2004272743.tif 000009
【図８】
2004272743.tif 000010
【図９】
2004272743.tif 000011
【図１０】
2004272743.tif 000012
【図１１】
2004272743.tif 000013